(57)【要約】【課題】  部品点数を増大させることなく、少ない部品点数で構成出来、所望の照明光量を確保して視認性を良好なものとすることができるメータ照明構造を提供する。【解決手段】  導光部材１５には、メータ照明導光部１７と、バックライト導光部１８との間に、メータ光源の照明光又は前記バックライト光源９からの照明光が、通過することを阻止する不透光部としての傾斜反射面２０ａが、裏面側から凹設形成された断面三角状を呈する三角溝部２０のバックライト導光部１８側の一側面に形成されている。  そして、この傾斜反射面２０ａが、鉛直線から所定の角度αを有して、照明光が、面内外方向に向けて通過する際、これらの各照明光が反射される。【選択図】  図１
2005024526.tif 000002
【特許請求の範囲】
【請求項１】
メータ表示部を構成する文字板の裏面側に設けられたメータ光源の照明光を、該文字板の前面側に導いて照明するメータ照明導光部と、該メータ表示部に隣接配置された液晶表示部の液晶表示パネルの裏面側に設けられて、該液晶表示パネルを照明するバックライト光源を導光するバックライト導光部とを一体となるように導光部材に設けたメータ照明構造であって、
前記導光部材には、前記メータ照明導光部と、前記バックライト導光部との間に、前記メータ光源の照明光又は前記バックライト光源からの照明光のうち、少なくとも何れか一方の照明光が、通過することを阻止する不透光部を形成することを特徴とするメータ照明構造。
【請求項２】
前記不透光部は、凹設された溝部の側面によって構成されて、前記メータ光源の照明光又は前記バックライト光源からの照明光のうち、少なくとも何れか一方を反射する角度を有する傾斜反射面を有することを特徴とする請求項１記載のメータ照明構造。
【請求項３】
前記不透光部には、前記メータ表示部又は液晶表示部を収納するハウジングの一部を凸設することにより、前記導光部材のメータ照明導光部と、前記バックライト導光部との間に形成される溝部内に介在される遮光部を有することを特徴とする請求項１又は２記載のメータ照明構造。
【請求項４】
前記文字板の裏面側には、白色反射塗装層が設けられると共に、該白色反射塗装層よりも更に裏面側には、前記バックライト光源からの照明光が、該文字板の表面側に漏光することを抑制する黒色塗装層を、該メータ表示部の目盛り部分を残して設けたことを特徴とする請求項１乃至３のうち少なくとも何れか一項記載のメータ照明構造。
【請求項５】
メータ表示部を構成する文字板の裏面側に設けられたメータ光源の照明光を、該文字板の前面側に導いて照明するメータ照明導光部と、該メータ表示部に隣接配置された液晶表示部の液晶表示パネルの裏面側に設けられて、該液晶表示パネルを照明するバックライト光源を導光するバックライト導光部とを一体となるように導光部材に設けたメータ照明構造であって、
前記文字板の裏面側には、白色反射塗装層が設けられると共に、該白色反射塗装層よりも更に裏面側には、前記バックライト光源からの照明光が、該文字板の表面側に漏光することを抑制する黒色塗装層を、該メータ表示部の目盛り部分を残して設けたことを特徴とするメータ照明構造。
【請求項６】
前記黒色塗装層は、調光用網点塗装範囲を有することを特徴とする請求項４又は５記載のメータ照明構造。
【発明の詳細な説明】
【技術分野】
【０００１】
この発明は、車両用のメータ装置等に設けられるメータ照明構造に関し、特に、隣接するアナログ表示部と、液晶表示部との間での光漏れを防止できるメータ照明構造に関する。
【背景技術】
【０００２】
従来、図９又は図１０に示すような自動車等の車両に搭載されるメータ照明構造が知られている（例えば、特許文献１参照）。
【０００３】
まず、構成から説明すると、この従来のメータ照明構造では、アナログ指針２を有するアナログメータ表示部としてのスピードメータ３及び、液晶表示パネル４に走行距離表示等を行う液晶表示部５等とが、１つのハウジング１ａ内に収納されてコンビネーションメータ１が構成されている。
【０００４】
このうち、前記スピードメータ３の文字板６の裏面側には、メータ照明導光部材７が設けられている。
【０００５】
このメータ照明導光部材７は、前記文字板６の裏面側に設けられたメータ光源８の照明光を、略均一となるように裏面側へ導いて照光することにより、この文字板６の前面側を透過光として照明するように構成されている。
【０００６】
また、前記液晶表示部５の液晶表示パネル４と、この液晶表示パネル４を裏面側から照明するバックライト光源９との間には、光量が、この液晶表示パネル４の前面で略均一となるようにバックライト導光部材１０が設けられている。
【０００７】
更に、前記メータ照明導光部材７には、反射面部７ａが形成されていて、前記メータ光源８の照明光を一部反射して、このバックライト導光部材１０の側端面１０ａから入光させることにより、この照明光をバックライト導光部材１０内を通過させて、前記液晶表示パネル４の前面を照明可能としている。
【０００８】
次に、この従来のメータ照明構造の作用について説明する。
【０００９】
このように構成された図９及び図１０に示す従来のメータ照明構造では、前記メータ光源８及びバックライト光源９が、図示省略の車両の前照灯或いは補助灯と連動されている。
【００１０】
そして、昼間等、前照灯のスイッチがオフの場合には、前記バックライト光源９が点灯して前記液晶表示部５を裏面側から照明する。
【００１１】
また、夜間等、前照灯のスイッチがオンの場合には、前記バックライト光源９が消灯し、前記メータ光源８が点灯して、前記文字板６の前面が裏面側から照明されると共に、前記反射面７ａで反射された照明光が前記側端面１０ａからバックライト導光部材１０内に導かれて、この液晶表示部５も照明される。
【特許文献１】特開平９−２３７０５０号公報（図１乃至図３、［００１０］乃至［００２４］段落）
【発明の開示】
【発明が解決しようとする課題】
【００１２】
しかしながら、前記図９及び図１０に示すような従来のメータ照明構造では、図９に示すように、前記スピードメータ３のメータ照明導光部材７と、前記液晶表示部５の液晶表示パネル４を裏面側から照明するバックライト光源９のバックライト導光部材１０とが、別部品で構成されている。
【００１３】
このため、部品点数が、増大すると共に、組付工数が増加するため、製造コストが上昇してしまうといった問題があった。
【００１４】
また、このメータ照明導光部材７と、バックライト導光部材１０とを一体に設けると、一方の照明光が他方の表示部に導かれて、所望の照明光量や視認性を得られない虞もあった。
【００１５】
そこで、本発明の目的は、部品点数を増大させることなく、少ない部品点数で構成出来、所望の照明光量を確保して視認性を良好なものとすることができるメータ照明構造を提供することにある。
【課題を解決するための手段】
【００１６】
本発明は、かかる問題点に着目してなされたもので、請求項１に係る発明では、メータ表示部を構成する文字板の裏面側に設けられたメータ光源の照明光を、該文字板の前面側に導いて照明するメータ照明導光部と、該メータ表示部に隣接配置された液晶表示部の液晶表示パネルの裏面側に設けられて、該液晶表示パネルを照明するバックライト光源を導光するバックライト導光部とを一体となるように導光部材に設けたメータ照明構造であって、前記導光部材には、前記メータ照明導光部と、前記バックライト導光部との間に、前記メータ光源の照明光又は前記バックライト光源からの照明光のうち、少なくとも何れか一方の照明光が、通過することを、阻止する不透光部を形成するメータ照明構造を特徴としている。
【発明の効果】
【００１７】
このように構成された請求項１記載のものでは、前記不透光部が、前記メータ照明導光部と、前記バックライト導光部との間に形成されているので、前記メータ光源の照明光が、前記バックライト導光部へ向けて通過することが阻止される。
【００１８】
また、前記メータ光源の照明光が、前記バックライト導光部へ向けて透過することが阻止される。
【００１９】
このため、前記メータ照明導光部とバックライト導光部とが、一体に前記導光部材に設けられていても、視認性を良好なものとすることが出来、少ない部品点数で製造コストの増大を抑制出来る。
【発明を実施するための最良の形態】
【００２０】
図１及び図２は、この発明を実施するための最良の形態のメータ照明構造を示すものである。
【００２１】
なお、前記従来例と同一乃至均等な部分については、同一符号を付して説明する。
【００２２】
まず、構成から説明すると、この最良の形態のメータ照明構造では、アナログ指針２を有するアナログのメータ表示部としてのタコメータ１３、燃料残量メータ１４、図示省略のスピードメータ及び液晶表示パネル４に走行距離表示等を行う液晶表示部５等とが、１つのハウジング１１ａ内に収納されてコンビネーションメータ１１が構成されている。
【実施例１】
【００２３】
このうち、前記ハウジング１１ａを構成するロアハウジング１１ｃには、液晶表示部５を収納する部分が、一段低く設定される段差部１１ｄが設けられていると共に、このハウジング１１ａの前面には、開口部１１ｂが形成されていて、開口部１１ｂの周縁には、図示省略の透明カバー部材が装着されている。
【００２４】
また、前記タコメータ１３の文字板６の裏面側では、前記ロアハウジング１１ｃに、前記メータ光源８，８が固着されている。図６及び図７では、前記文字板６上、仮想線で示す光源該当部８ａの位置が、メータ光源８の上方の位置に対応している。
【００２５】
更に、前記液晶表示パネル４の下縁部に隣接されて前記バックライト光源９，９が、前記ロアハウジング１１ｃに固着されて設けられている。図６及び図７では、前記文字板６上、仮想線で示す光源該当部９ａ，９ａの位置が、バックライト光源９，９の上方の位置に対応している。
【００２６】
これらの前記メータ光源８，８及び前記バックライト光源９，９は、各々ＬＥＤによって構成されていて、図示省略の車両の前照灯或いは補助灯と連動されて、点灯又は消灯可能となるように構成されている。
【００２７】
そして、これらの前記メータ光源８，８及び前記バックライト光源９，９と前記文字板６との間には、導光部材１５が介在されて設けられている。
【００２８】
この導光部材１５は、各照明光を、この文字板６の前面側及び液晶表示パネル４の前面まで、各々導いて透過照明するメータ照明導光部１７及びバックライト導光部１８が、透明材料によって一体に設けられて主に構成されている。
【００２９】
このうち、メータ照明導光部１７は、前記文字板６の裏面側に設けられたメータ光源８の照明光を、略均一となるように裏面側へ導いて照光することにより、この文字板６の前面側が透過光で照明されるように構成されている。
【００３０】
また、前記バックライト導光部１８は、前記液晶表示部５の液晶表示パネル４の下端縁近傍に設けられた前記バックライト光源９，９からの照明光が、端面部１８ａから内部に入光されることにより、この液晶表示パネル４の前面側に略均一に導かれるように構成されている。
【００３１】
そして、前記導光部材１５には、前記メータ照明導光部１７と、前記バックライト導光部１８との間に、前記メータ光源８の照明光又は前記バックライト光源９からの照明光が、通過することを阻止する不透光部としての傾斜反射面２０ａが、裏面側から凹設形成された断面三角状を呈する三角溝部２０のバックライト導光部１８側の一側面に形成されている。
【００３２】
この実施例１では、この傾斜反射面２０ａが、鉛直線から所定の角度αを有して、前記各照明光が、面内外方向に向けて通過する際、これらの各照明光を反射するように構成されている。
【００３３】
また、この実施例１のメータ照明構造では、前記三角溝部２０と前記バックライト導光部１８との間に、このバックライト導光部１８を、メータ前後方向Ｌで、前記メータ照明導光部１７に対してオフセットするように連結する連結部２１が設けられている。
【００３４】
更に、この実施例１のメータ構造では、このバックライト導光部１８が、メータ前後方向Ｌで、前記メータ照明導光部１７に対してオフセットされている方向（図１中左方向）である裏面側から、前記三角溝部２０が凹設されて傾斜面が形成されている。
【００３５】
そして、この三角溝部２０の残余部２２は、前記バックライト導光部１８と、メータ前後方向で、全くオーバーラップしない位置に形成されている。
【００３６】
次に、この実施例１の作用について説明する。
【００３７】
この実施例１のメータ照明構造では、前記導光部材１５の前記傾斜反射面２０ａが、前記メータ照明導光部１７と、前記バックライト導光部１８との間に、設けられている。
【００３８】
この実施例１の傾斜反射面２０ａは、前記バックライト導光部１８が、メータ前後方向Ｌで、前記メータ照明導光部１７に対してオフセットされている方向（図１中左方向）である裏面側から凹設形成された前記三角溝部２０によって構成されている。
【００３９】
このため、この傾斜反射面２０ａが、光路上に介在する前記三角溝部２０の側面に反射する角度が与えられて位置していて、メータ光源８の照明光が、前記バックライト導光部１８へ向けて照光されても、この傾斜反射面２０ａには、通過しようとする略全ての照明光が当たり、前記ロアハウジング１１ｃ方向に向けて反射される。
【００４０】
また、この実施例１では、前記バックライト光源９からの照明光のうち、導光部材１５内を透過しようとする照明光は、前記バックライト導光部１８が、前記連結部２１によってメータ前後方向Ｌで、前記メータ照明導光部１７に対してオフセットされているため、透過しにくい。
【００４１】
しかも、この実施例１では、前記端面部１８ａから前記バックライト光源９の照明光が入光しても、直線状の照明光は、前記連結部２１の端面２１ａから出て、前記段差部１１ｄに当たり、前記メータ照明導光部１７内に到達することはない。
【００４２】
このように、前記メータ光源８の照明光が、前記バックライト導光部１８へ向けて透過することが阻止されると共に、バックライト導光部１８の照明光が、メータ照明導光部１７へ向けて透過することが阻止される。
【００４３】
このため、前記メータ照明導光部１７とバックライト導光部１８とが、一体に前記導光部材１５に設けられていても、所望の光量及び照明形状を得られて、視認性を良好なものとすることが出来る。
【００４４】
しかも、従来の様に２部品とする必要が無いので、少ない部品点数で製造コストの増大を抑制出来る。   
【実施例２】
【００４５】
図３は、この発明の実施例２のメータ照明構造を示すものである。
【００４６】
なお、前記実施例１と同一乃至均等な部分については、同一符号を付して説明する。
【００４７】
まず、構成から説明すると、この実施例２のメータ照明構造のコンビネーションメータ１１１では、導光部材１１５に、前記メータ照明導光部１７と、前記バックライト導光部１８との間に、前記メータ光源８の照明光が透過することを阻止する不透過部としてのメータ側傾斜反射面１２０ａと、前記バックライト光源９からの照明光が、通過することを阻止する不透光部としての液晶側傾斜反射面１２０ｂとが、裏面側から凹設形成された断面略二等辺三角状を呈する三角溝部１２０の両側面として、略対称に形成されている。
【００４８】
この実施例１では、このメータ側傾斜反射面１２０ａが、鉛直線から所定の角度α１を有して設けられていて、前記照明光が、面内外方向に向けて通過する際、照明光を反射するように構成されている。
【００４９】
また、前記液晶側傾斜反射面１２０ｂが、鉛直線から所定の角度α２を有して設けられていて、前記照明光が、面内外方向に向けて通過する際、照明光を反射するように構成されている。
【００５０】
次に、この実施例２の作用について説明する。
【００５１】
この実施例２のメータ照明構造では、前記メータ側傾斜反射面１２０ａが、鉛直線から所定の角度α１を有して設けられているので、前記メータ光源８からの照明光が、面内外方向に向けて通過しようとする際、照明光が反射されて、通過が阻止される。
【００５２】
また、前記液晶側傾斜反射面１２０ｂが、鉛直線から所定の角度α２を有して設けられていて、前記バックライト光源９からの照明光が、面内外方向に向けて通過しようとする際、照明光が反射され通過が阻止される。
【００５３】
他の構成、及び作用効果については、前記実施例１と略同一であるので、説明を省略する。
【実施例３】
【００５４】
図４は、この発明の実施例３のメータ照明構造を示すものである。
【００５５】
なお、前記実施例１，２と同一乃至均等な部分については、同一符号を付して説明する。
【００５６】
まず、構成から説明すると、この実施例３のメータ照明構造のコンビネーションメータ２１１では、このコンビネーションメータ２１１のハウジング２１１ａを構成するロアハウジング２１１ｃの前記段差部１１ｄ近傍の一部が、不透光部の一部を構成する遮光部２１１ｅとして、メータ前面方向に向けて、断面略三角の突条状に凸設されている。
【００５７】
この遮光部２１１ｅは、前記タコメータ１３及び液晶表示部５を収納するロアハウジング２１１ｃの一部が凸設されて、前記導光部材２１５のメータ照明導光部１７と、前記バックライト導光部１８との間に形成される三角溝部２０内に挿入されて介在されている。
【００５８】
次に、この実施例３の作用について説明する。
【００５９】
この実施例３のコンビネーションメータ２１１では、前記遮光部２１１ｅが、前記導光部材２１５のメータ照明導光部１７と、前記バックライト導光部１８との間に形成される溝部２０内に介在されて、前記メータ光源８の照明光又は前記バックライト光源９からの照明光の通過が阻止される。
【００６０】
この実施例３では、前記遮光部２１１ｅが、前記ロアハウジング２１１ｃの一部を凸設することにより、ロアハウジング２１１ｃに一体に形成されているので、部品点数を増大させることなく、製造コストの増大を抑制できる。
【００６１】
他の構成、及び作用効果については、前記実施例１，２と略同一であるので、説明を省略する。
【実施例４】
【００６２】
図５は、この発明の実施例４のメータ照明構造を示すものである。
【００６３】
なお、前記実施例１乃至３と同一乃至均等な部分については、同一符号を付して説明する。
【００６４】
まず、構成から説明すると、この実施例４のメータ照明構造のコンビネーションメータ３１１では、このコンビネーションメータ３１１のハウジング３１１ａを構成するロアハウジング３１１ｃの前記段差部１１ｄ近傍の一部が、不透光部の一部を構成する遮光部３１１ｅとして、メータ前面方向に向けて、断面略二等辺三角の突条状に凸設されている。
【００６５】
この遮光部３１１ｅは、前記タコメータ１３及び液晶表示部５を収納するロアハウジング３１１ｃの一部が凸設されて、前記導光部材１１５のメータ照明導光部１７と、前記バックライト導光部１８との間に形成される二等辺三角溝部１２０内に挿入されて介在されている。
【００６６】
次に、この実施例４の作用について説明する。
【００６７】
このように構成されたこの実施例４のコンビネーションメータ３１１では、前記遮光部３１１ｅが、前記導光部材１１５のメータ照明導光部１７と、前記バックライト導光部１８との間に形成される溝部１２０内に介在されて、前記メータ光源８の照明光又は前記バックライト光源９からの照明光の通過が阻止される。
【００６８】
この実施例４では、前記遮光部３１１ｅが、前記ロアハウジング３１１ｃの一部を凸設することにより、ロアハウジング３１１ｃに一体に形成されているので、部品点数を増大させることなく、製造コストの増大を抑制できる。
【００６９】
他の構成、及び作用効果については、前記実施例１乃至３と略同一であるので、説明を省略する。
【実施例５】
【００７０】
図６乃至図８は、この発明の実施例５のメータ照明構造を説明するものである。
【００７１】
なお、前記実施例１乃至４と同一乃至均等な部分については、同一符号を付して説明する。
【００７２】
この実施例５のメータ照明構造では、前記文字板６を構成する透明基板６ａの裏面側には、緑色印刷層６ｂ，青色印刷層６ｃ，黄色印刷層６ｄが、順次印刷により積層されて設けられている。
【００７３】
この黄色印刷層６ｄの裏面側には、白色反射塗装層としての白色反射印刷層６ｅが設けられている。
【００７４】
この白色印刷塗装層６ｅは、夜間等の前記メータ光源８が点灯した状態で、このメータ光源８の照光を効率よく反射して、略均質に前記文字板６の表面側を裏面側から照明するように、前記アナログメータ表示部としてのタコメータ１３の略全面に渡り印刷されて構成されている。
【００７５】
そして、この白色反射印刷層６ｅよりも更に裏面側には、前記バックライト光源９，９からの照明光が、この文字板６の表面側に漏光することを抑制する黒色塗装層としての黒色印刷層６ｇが、ツヤ消し印刷層６ｆを介して、印刷されている。
【００７６】
この実施例５の黒色印刷層６ｇは、前記メータ表示部の目盛り１３ｂ及び数字等の絵文字１３ｃ等を有する目盛り部分１３ａの輪郭から約２ｍｍの余裕代を残して設けられている。
【００７７】
また、この実施例５の黒色印刷層６ｇは、黒色の網点模様の濃淡によって、前記メータ光源８，８からの照光を調光する調光用網点塗装範囲６ｈと共に、同じ黒色インクを用いて印刷されるように構成されている。
【００７８】
図７は、説明のため、この実施例５の黒色印刷層６ｇを設けていない文字板１０６の裏面側を示している。
【００７９】
この図７に示される文字板１０６では、前記調光用網点塗装範囲６ｈでは、前記メータ光源８を中心とする略同心円状に外径方向に進むに従って、徐々に網点模様の密度が少なくなることにより、淡くなるような網点印刷が施されている。
【００８０】
また、この図７中破線に示されるように、前記タコメータ１３の前記液晶表示部５近傍では、前記バックライト光源９の漏光により、前記白色反射印刷層６ｅに、このバックライト光源９を中心とする略同心円状の照明光が透光してしまう虞があった。
【００８１】
そこで、この実施例５では、メータ表示部に、漏光による不均一な照明が発生しないように構成されたメータ照明構造を提供するものである。
【００８２】
また、更に、この実施例５では、前記黒色印刷層６ｇの裏面側には、前記メータ照明導光部１７等に添着される糊印刷層６ｉが設けられている。
【００８３】
そして、この文字板６を構成する透明基板６ａの表面側には、白色印刷層６ｊ，赤色印刷層６ｋ，スモーク印刷層６ｍ，黒色印刷層６ｎ，グレー印刷層６ｐ，黒色印刷層６ｑが、順次印刷により積層されて設けられていて、最表面にトップコート層６ｒが施されることによって、各印刷層が保護されるように構成されている。
【００８４】
次に、この実施例５のメータ照明構造の作用について説明する。
【００８５】
この実施例５のメータ照明構造では、前記実施例１乃至４の作用効果に加えて、更に、前記メータ表示部１３の目盛り部分１３ａを残して、前記バックライト光源９，９からの照明光を、文字板６の表面側に漏光しないように抑制する黒色印刷層６ｇが設けられている。
【００８６】
このため、図６に示すように、タコメータ１３の前記白色反射印刷層６ｅが、最裏面側に残る前記メータ光源８近傍の前記目盛り部分１３ａでは、前記調光用網点塗装範囲６ｈの網点塗装によって、略均一な照明光が、良好な反射効率で得られて、表面側での目盛り部分１３ａの視認性が良好である。
【００８７】
そして、前記黒色印刷層６ｇによって覆われた他の前記タコメータ１３では、前記バックライト光源９の漏光が発生しても、この黒色印刷層６ｇによって遮光されて、前記タコメータ１３の表面側に透光されることがない。
【００８８】
このため、例えば、前記タコメータ１３の前記液晶表示部５近傍が、前記バックライト光源９の点灯により薄暗く発光してしまうことがない。
【００８９】
従って、外観品質を良好なものとすることができると共に、発光が必要とされる箇所とのコントラストを鮮明にすることができるので、この点においても視認性を向上させることができる。
【００９０】
また、前記メータ光源８が点灯している状態では、前記目盛り部分１３ａのうち、前記液晶表示部５に近接した箇所でも、前記バックライト光源９の漏光が目立たない。
【００９１】
更に、この実施例５では、前記目盛り１３ｂ及び数字等の絵文字１３ｃ等を有する目盛り部分１３ａの輪郭から約２ｍｍの余裕代を残して、前記黒色印刷層６ｇが設けられている。
【００９２】
このため、これらの目盛り部分１３ａの輝度の低下を抑制出来て、前記白色反射印刷層６ｅによって前記目盛り部分１３ａの照明輝度を良好に保持しつつ、前記漏光による障害を減少させることができる。
【００９３】
しかも、この実施例５では、前記黒色印刷層６ｇが、同一印刷工程で、同一インクを用いて、前記調光用網点塗装範囲６ｈと共に印刷されて形成されるので、製造工程数を増大させることなく、照明ムラの無いメータ照明構造を提供することができる。
【００９４】
他の構成、及び作用効果については、前記実施例１乃至４と略同一であるので、説明を省略する。
【００９５】
上述してきたように、前記メータ表示部としてのタコメータ１３等を構成する文字板６の裏面側に設けられたメータ光源８の照明光を、文字板６の前面側に導いて照明するメータ照明導光部１７と、タコメータ１３に隣接配置された液晶表示部５の液晶表示パネル４の裏面側に設けられて、この液晶表示パネル４を照明するバックライト光源９，９を導光するバックライト導光部１８とを一体となるように導光部材１５に設けたメータ照明構造である。
【００９６】
そして、前記導光部材１５には、前記メータ照明導光部１７と、前記バックライト導光部１８との間に、前記メータ光源８の照明光又は前記バックライト光源９，９からの照明光のうち、少なくとも何れか一方の照明光が、通過することを、阻止する不透光部としての三角溝部２０等が形成されている。
【００９７】
このように構成されたメータ照明構造では、前記三角溝部２０等が、前記メータ照明導光部１７と、前記バックライト導光部１８との間に形成されているので、前記メータ光源８の照明光が、前記バックライト導光部１８へ向けて通過することが阻止される。
【００９８】
また、前記メータ光源８の照明光が、前記バックライト導光部１８へ向けて透過することが阻止される。
【００９９】
このため、前記メータ照明導光部１７とバックライト導光部１８とが、一体に前記導光部材１５に設けられていても、視認性を良好なものとすることが出来、少ない部品点数で製造コストの増大を抑制出来る。
【０１００】
また、前記三角溝部２０等の不透光部が、凹設された溝部の側面によって構成されて、前記メータ光源８の照明光又は前記バックライト光源９からの照明光のうち、少なくとも何れか一方を反射する角度を有する傾斜反射面２０ａを有している。
【０１０１】
このため、前記三角溝部２０等の不透光部の傾斜反射面２０ａが、凹設されて光路上に介在する前記三角溝部２０の側面に位置する。
【０１０２】
この傾斜反射面２０ａには、照明光を反射する角度が与えられているので、前記メータ光源８の照明光又は前記バックライト光源９からの照明光が反射される。
【０１０３】
更に、前記三角溝部２０等には、前記タコメータ１３等のメータ表示部又は液晶表示部５を収納するハウジング１１ａの一部を凸設することにより、前記導光部材１５のメータ照明導光部１７と、前記バックライト導光部１８との間に形成される三角溝部２０等内に介在される遮光部２１１ｅ等を有している。
【０１０４】
このように構成されたメータ照明構造では、前記遮光部２１１ｅ等が、前記導光部材１５のメータ照明導光部１７と、前記バックライト導光部１８との間に形成される三角溝部２０内に介在されて、前記メータ光源８の照明光又は前記バックライト光源９からの照明光の通過が阻止される。
【０１０５】
また、前記遮光部２１１ｅ等は、前記タコメータ１３等又は液晶表示部５を収納するハウジング１１ａのうち、ロアハウジング２１１ｃの一部を凸設することにより、このロアハウジング２１１ｃに一体に形成されているので、部品点数を増大させることなく、製造コストの増大を抑制できる。
【０１０６】
更に、前記文字板６の裏面側には、白色反射塗装層６ｅが設けられると共に、この白色反射塗装層６ｅよりも更に裏面側には、前記バックライト光源９からの照明光が、この文字板６の表面側に漏光することを抑制する黒色印刷層６ｇが、このタコメータ１３等のメータ表示部の目盛り部分１３ａを残して設けれらている。
【０１０７】
このため、図６に示すように、タコメータ１３の前記白色反射印刷層６ｅが、最裏面側に残る前記メータ光源８近傍の前記目盛り部分１３ａでは、前記調光用網点塗装範囲６ｈの網点塗装によって、略均一な照明光が、良好な反射効率で得られて、表面側での目盛り部分１３ａの視認性が良好である。
【０１０８】
そして、前記黒色印刷層６ｇによって覆われた他の前記タコメータ１３では、前記バックライト光源９の漏光が発生しても、この黒色印刷層６ｇによって遮光されて、前記タコメータ１３の表面側に透光されることがない。
【０１０９】
このため、例えば、前記タコメータ１３の前記液晶表示部５近傍が、前記バックライト光源９の点灯により薄暗く発光してしまうことがない。
【０１１０】
従って、外観品質を良好なものとすることができると共に、発光が必要とされる箇所とのコントラストを鮮明にすることができるので、この点においても視認性を向上させることができる。
【０１１１】
更に、前記黒色印刷層６ｇが、調光用網点塗装範囲６ｈと共に、同一印刷工程で印刷されて形成されるので、製造工程数を増大させることなく、照明ムラの無いメータ照明構造を提供することができる、という実用上有益な効果を発揮できる。
【産業上の利用可能性】
【０１１２】
以上、図面を参照して、本発明の実施例１乃至５のメータ照明構造を詳述してきたが、具体的な構成は、この実施例１乃至５に限らず、本発明の要旨を逸脱しない程度の設計的変更は、本発明に含まれる。
【０１１３】
例えば、前記実施例５では、前記実施例１乃至４に示されるような各不透光部を設けていないメータ照明構造であってもよく、メータ照明導光部１７とバックライト導光部１８とが一体に導光部材１５等に設けられているものに適用しても、前記黒色印刷層６ｇが、前記メータ表示部の目盛り部分１３ａを残して設けられているものであればよい。
【０１１４】
更に、この実施例５の黒色印刷層６ｇは、黒色の網点模様の濃淡によって、前記メータ光源８，８からの照光を調光する調光用網点塗装範囲６ｈと共に、同じ黒色インクを用いて印刷されるように構成されているが、特にこれに限らず、この黒色印刷層６ｇが、別の印刷工程で、前記調光用網点塗装範囲６ｈとは、他の層になるように形成されていても良く、前記白色反射印刷層６ｅよりも更に裏面側に、前記調光用網点塗装範囲６ｈの印刷層とは、独立して印刷されて設けられていてもよい。
【図面の簡単な説明】
【０１１５】
【図１】本発明の実施例１のメータ照明構造を示し、図２中Ａ−Ａ線に沿った位置での断面図である。
【図２】実施例１のメータ照明構造を示し、コンビネーションメータの正面図である。
【図３】実施例２のメータ照明構造で、図１に相当する部分での要部の断面図である。
【図４】実施例３のメータ照明構造で、図１に相当する部分での要部の断面図である。
【図５】実施例４のメータ照明構造で、図１に相当する部分での要部の断面図である。
【図６】実施例５のメータ照明構造で、黒色印刷塗装層が施された文字板の裏面側の正面図である。
【図７】実施例５のメータ照明構造で、説明のため、黒色印刷塗装層が施されていない状態での文字板の裏面側の正面図である。
【図８】実施例５のメータ照明構造で、文字板に印刷される印刷層の積層順序を説明する模式図である。
【図９】従来例のメータ照明構造で、要部の縦断面図である。
【図１０】従来例のメータ照明構造で、液晶表示装置の分解斜視図である。
【符号の説明】
【０１１６】
４                  液晶表示パネル
５                  液晶表示部
６                  文字板
６ｅ                白色反射印刷層（白色反射塗装層）
６ｇ                黒色印刷層
６ｈ                調光用網点塗装範囲
８                  メータ光源
９                  バックライト光源
１１，１１１，２１１，３１１          コンビネーションメータ
１１ａ              ハウジング
１３                タコメータ（メータ表示部の一つ）
１３ａ              目盛り部分
１５                導光部材
１７                メータ照明導光部
１８                バックライト導光部
不透光部
２０                三角溝部
２０ａ              傾斜反射面
１２０              二等辺三角溝部
１２０ａ            メータ側傾斜反射面
１２０ｂ            液晶側傾斜反射面
２１１ｅ，３１１ｅ  遮光部
【図１】
2005024526.tif 000003
【図２】
2005024526.tif 000004
【図３】
2005024526.tif 000005
【図４】
2005024526.tif 000006
【図５】
2005024526.tif 000007
【図６】
2005024526.tif 000008
【図７】
2005024526.tif 000009
【図８】
2005024526.tif 000010
【図９】
2005024526.tif 000011
【図１０】
2005024526.tif 000012